(57)【要約】      （修正有）【課題】アクリル、水晶やガラス装飾品の内部にカラー映像を形成可能である映像成形装置を提供する。【解決手段】少なくとも三つの透明ブロックを含み、レーザ彫刻にて各透明ブロックの内部に曇り状セクションが彫刻してあり、各曇り状セクションを一つの映像に組成するために、各透明ブロックが一体に結合される映像モジュールと、映像モジュールの一側に設けられ、三組みの光源を含み、三組みの光源が同じ方向に投射して各透明ブロックを照射し、三組みの光源が各透明ブロックの内部にある各曇り状セクションで混色し、各曇り状セクションから組成される映像がカラー映像になる投光モジュールと、を含む映像成形装置。【選択図】図１
0003139508.tif 000002
【実用新案登録請求の範囲】
【請求項１】
少なくとも三つの透明ブロックを含み、レーザ彫刻にて前記各透明ブロックの内部に曇り状セクションが彫刻してあり、前記各曇り状セクションを一つの映像に組成するために、前記各透明ブロックが一体に結合される映像モジュールと、
前記映像モジュールの一側に設けられ、三組みの光源を含み、前記三組みの光源が同じ方向に投射して前記各透明ブロックを照射し、前記三組みの光源が前記各透明ブロックの内部にある各曇り状セクションで混色し、前記各曇り状セクションから組成される映像がカラー映像になる投光モジュールと、を含むことを特徴とする、
映像成形装置。
【請求項２】
前記投光モジュールが前記映像モジュールの下に設けられ、且つ前記三つの透明ブロックは、それぞれ第一透明ブロックと、第二透明ブロックと、第三透明ブロックとであり、レーザ彫刻にて前記第一、第二、第三透明ブロックの内部には、第一、第二、第三曇り状セクションが彫刻してあり、且つ前記第一、第二、第三曇り状セクションを一つの映像に組成するために、前記第一、第二、第三透明ブロックが一体に結合されることを特徴とする、請求項１に記載の映像成形装置。
【請求項３】
前記投光モジュールは、一列の赤光ＬＥＤと、一列の緑光ＬＥＤと、一列の青光ＬＥＤと、を含み、且つこれらのＬＥＤが上に向けられて前記各透明ブロックを照射し、これらのＬＥＤからの光線が前記各透明ブロックの内部にある各曇り状セクションで混色し、前記各曇り状セクションから組成される映像がカラー映像になることを特徴とする、請求項１に記載の映像成形装置。
【考案の詳細な説明】
【技術分野】
【０００１】
本考案は、映像成形装置に係り、特に、アクリル、水晶やガラス装飾品の内部にカラー映像を形成可能な映像成形装置に関するものである。
【背景技術】
【０００２】
目下、市販しているアクリル、水晶やガラスの芸術品は、ピュアな透明の美観を持つので、装飾品として家に設置することが多い。
【０００３】
しかしながら、一般のアクリル、水晶やガラスの芸術品は、透明で単色であるので、色彩の変化は不足である。
【０００４】
上記欠点を解決するために、あるメーカはレーザ彫刻にてアクリル、水晶やガラスの芸術品の内部に模様や文字を彫刻するが、このように処理されたアクリル、水晶やガラスの芸術品は、依然として単色であり、色彩の変化は不足である。
【考案の開示】
【考案が解決しようとする課題】
【０００５】
本考案の主な目的は、アクリル、水晶やガラス装飾品の内部にカラー映像を形成可能な映像成形装置を提供することにある。
【課題を解決するための手段】
【０００６】
上記目的を達成するためになされた本願の考案は、少なくとも三つの透明ブロックを含み、レーザ彫刻にて前記各透明ブロックの内部に曇り状セクションが彫刻してあり、前記各曇り状セクションを一つの映像に組成するために、前記各透明ブロックが一体に結合される映像モジュールと、前記映像モジュールの一側に設けられ、三組みの光源を含み、前記三組みの光源が同じ方向に投射して前記各透明ブロックを照射し、前記三組みの光源が前記各透明ブロックの内部にある各曇り状セクションで混色し、前記各曇り状セクションから組成される映像がカラー映像になる投光モジュールと、を含むことを特徴とする映像成形装置であることを要旨としている。
【０００７】
本願の考案では、前記投光モジュールが前記映像モジュールの下に設けられ、且つ前記三つの透明ブロックは、それぞれ第一透明ブロックと、第二透明ブロックと、第三透明ブロックとであり、レーザ彫刻にて前記第一、第二、第三透明ブロックの内部には、第一、第二、第三曇り状セクションが彫刻してあり、且つ前記第一、第二、第三曇り状セクションを一つの映像に組成するために、前記第一、第二、第三透明ブロックが一体に結合されることを特徴とする請求項１に記載の映像成形装置であることを要旨としている。
【０００８】
本願の考案では、前記投光モジュールは、一列の赤光ＬＥＤと、一列の緑光ＬＥＤと、一列の青光ＬＥＤと、を含み、且つこれらのＬＥＤが上に向けられて前記各透明ブロックを照射し、これらのＬＥＤからの光線が前記各透明ブロックの内部にある各曇り状セクションで混色し、前記各曇り状セクションから組成される映像がカラー映像になることを特徴とする請求項１に記載の映像成形装置であることを要旨としている。
【考案の効果】
【０００９】
本考案の映像成形装置によれば、アクリル、水晶やガラス装飾品の内部にカラー映像を形成可能である効果を有する。
【考案を実施するための最良の形態】
【００１０】
以下、添付図面を参照して本考案の好適な実施の形態を詳細に説明する。
【００１１】
まず、図１乃至図４を参照する。本考案の映像成形装置は、映像モジュール１０と、投光モジュール２０と、を含む。
【００１２】
前記映像モジュール１０は、少なくとも三つの透明ブロックを含み、レーザ彫刻にて前記各透明ブロックの内部に曇り状セクションが彫刻してあり、前記各曇り状セクションを一つの映像に組成するために、前記各透明ブロックが一体に結合され、なお、前記透明ブロックは、アクリル製でもいいし、水晶製でもいいし、ガラス製でもよい。
【００１３】
前記投光モジュール２０は、前記映像モジュール１０の一側に設けられ、三色の光源を含み、前記三色の光源が同じ方向に投射して前記各透明ブロックを照射し、前記三色の光源が前記各透明ブロックの内部にある各曇り状セクションで混色し、前記各曇り状セクションから組成される映像がカラー映像になる。
【００１４】
また、前記投光モジュール２０が前記映像モジュール１０の下に設けられ、且つ前記三つの透明ブロックは、それぞれ第一透明ブロック１１と、第二透明ブロック１２と、第三透明ブロック１３とであり、レーザ彫刻にて前記第一、第二、第三透明ブロック１１，１２，１３の内部には、第一、第二、第三曇り状セクション１１１，１２１，１３１が彫刻してある。
【００１５】
一方、前記第一、第二、第三透明ブロック１１，１２，１３がそれぞれ立設されて、図１に示すように、列に並んで結合され、且つ一体に結合された前記第一、第二、第三透明ブロック１１，１２，１３の内部にある第一、第二、第三曇り状セクション１１１，１２１，１３１が一つの映像を組成する。
【００１６】
また、第一透明ブロック１１と第二透明ブロック１２の間に第一媒質層１４を設けてもよく、そして第二透明ブロック１２と第三透明ブロック１３の間に第二媒質層１５を設けてもよく、第一媒質層１４と第二媒質層１５との密度は前記第一、第二、第三透明ブロック１１，１２，１３の密度と異なり、これにより、下方からの光線を前記第一、第二、第三透明ブロック１１，１２，１３に照射するときに、全反射という物理効果を得ることができる。
【００１７】
また、前記第一媒質層１４と第二媒質層１５とは透明な粘着ゲルである場合には、前記第一、第二、第三透明ブロック１１，１２，１３が粘着されて一体になり、なお、前記第一媒質層１４と第二媒質層１５とは空気である場合には、前記第一、第二、第三透明ブロック１１，１２，１３が締付けられて一体になる。
【００１８】
一方、本考案の投光モジュール２０は、発光ダイオード装置であり、一列の赤光ＬＥＤ２１と、一列の緑光ＬＥＤ２２と、一列の青光ＬＥＤ２３と、を含み、且つこれらのＬＥＤ２１，２２，２３が上に向けられて前記各透明ブロック１１，１２，１３を照射し、これらのＬＥＤ２１，２２，２３からの光線が前記各透明ブロック１１，１２，１３の内部にある各曇り状セクション１１１，１２１，１３１で混色し、前記各曇り状セクション１１１，１２１，１３１から組成される映像がカラー映像になる。
【００１９】
また、投光モジュール２０は、第一、第二、第三透明ブロック１１，１２，１３の下面に設けられる色ろ過シート２４であってもよく、全スペクトルの光源を色ろ過シート２４の下方から射出して前記各曇り状セクション１１１，１２１，１３１に照射するとカラー映像が形成される。
【００２０】
また、投光モジュール２０は、第一、第二、第三透明ブロック１１，１２，１３の下面に設けられる着色剤層であってもよく、全スペクトルの光源を着色剤層の下方から射出して前記各曇り状セクション１１１，１２１，１３１に照射するとカラー映像が形成される。
【００２１】
上記のような構成によれば、投光モジュール２０が光線を射出しているときには、第一曇り状セクション１１１が赤光に照射され、第二曇り状セクション１２１が緑光に照射され、第三曇り状セクション１３１が青光に照射され、例えば映像が林檎である場合には、林檎本体の模様を呈する第一曇り状セクション１１１が赤光に照射され、林檎の上部の模様を呈する第二曇り状セクション１２１が緑光に照射され、林檎の葉の模様を呈する第三曇り状セクション１３１が青光に照射される。
【００２２】
本考案の映像モジュール１０は、レーザ内部彫刻機により各透明ブロックの内部に曇り状セクションを形成し、一つの映像が各曇り状セクションに分けられて、各曇り状セクションがそれぞれ異なる色の光線に照射され、且つ各透明ブロックは全反射可能であるので、映像モジュール１０の正面から見るとカラー映像が形成される。
【００２３】
本考案の投光モジュール２０の三色の光源は、単純に赤光、緑光、青光を使用することができるが、色の変化性を増加するために、別の顔色の光線を使用してもよい。
【００２４】
本考案の映像モジュール１０の各曇り状セクションに形成される映像は、ハーフトーン（HalfTone）技術により映像データを処理し、これにより、点の密度および分布を変化することでグレイスケールを表現可能である。
【００２５】
本考案の投光モジュール２０の三色の光源が各透明ブロックに対応し、前記光源は、単色の光源（例えば発光ダイオード）でもいいし、各透明ブロックの下面に色ろ過シート又は着色剤層を付けて全スペクトルの光源を透明ブロックの下方から投射してもよい。
【００２６】
本考案の各透明ブロックは、単独に作製されて、密度が透明ブロックと異なる媒質層により粘着して一体になってもいいし、締付方式により一体になってもよく、そうすると、各透明ブロックの間には全反射という物理現象を得ることができる。
【図面の簡単な説明】
【００２７】
【図１】本考案の組合状態の斜視図である。
【図２】本考案の分解斜視図である。
【図３】本考案の上面概略図である。
【図４】本考案の別の実施例の斜視図である。
【符号の説明】
【００２８】
１０      映像モジュール
１１      第一透明ブロック
１２      第二透明ブロック
１３      第三透明ブロック
１４      第一媒質層
１５      第二媒質層
２０      投光モジュール
２１      赤光ＬＥＤ
２２      緑光ＬＥＤ
２３      青光ＬＥＤ
２４      色ろ過シート
１１１    第一曇り状セクション
１２１    第二曇り状セクション
１３１    第三曇り状セクション
【図１】
0003139508.tif 000003
【図２】
0003139508.tif 000004
【図３】
0003139508.tif 000005
【図４】
0003139508.tif 000006